(57)【要約】  本発明は、着用時に自然に陰茎と陰嚢との間及び／または陰嚢と太ももとの間の密着を防止し、通気を円滑にして衛生的な着用状態を継続的に保持することを可能にする構造の男性用機能性トランクスパンツに関するものであり、着用可能なパンツ本体を形成する本体部と、前記本体部の内側に固定されて陰茎と陰嚢を支持する支持部とを含み、ここで、支持部は、パンツの着用時に着用者の前面側に位置される第１弾性片と、着用者の背面側に位置される第２弾性片とを含み、第１弾性片の一側端部が本体部の内面に固定され、第１弾性片の他側端部が第２弾性片の一側端部と連結され、第２弾性片の他側端部が本体部の内面に固定され、ここで第２弾性片が第１弾性片より伸縮性の高い布からなり、第１弾性片に陰茎が通過可能な陰茎孔が形成されることを特徴とする。
2019530814.tif 000002
【特許請求の範囲】
【請求項１】
着用可能なパンツ本体を形成する本体部と、前記本体部の内側に固定されて陰茎と陰嚢を支持する支持部とを含み、
前記支持部は、着用時に着用者の前面側に位置される第１弾性片と、着用者の背面側に位置される第２弾性片とを含み、
第１弾性片の一側端部が本体部の前面側の内面上側に固定され、第１弾性片の他側端部が第２弾性片の一側端部と連結され、第２弾性片の他側端部が本体部の背面側の内面上側に固定され、
前記第２弾性片が第１弾性片より伸縮性の高い布からなり、第１弾性片に陰茎が通過可能な陰茎孔と、陰茎孔の下部と前記他側端部との間に着用時に着用者の下部側に陰嚢を収容可能にポケット形状の陰嚢収容部とを形成したものからなることを特徴とする男性用機能性トランクスパンツ。
【請求項２】
陰茎孔が第１弾性片を穿孔し、穿孔された部位の第１弾性片の端を縁かがりしたり、穿孔された部位の第１弾性片の端を部分的に折り畳んだ後縁かがりをして形成されることを特徴とする請求項１に記載の男性用機能性トランクスパンツ。
【請求項３】
陰茎孔がパンツを着用した状態を基準として陰茎孔の下部が上部に比べてより厚い厚肉部で形成されることを特徴とする請求項１に記載の男性用機能性トランクスパンツ。
【請求項４】
陰茎孔がパンツを着用した状態を基準として陰茎孔の下部に支持片がさらに固定されることを特徴とする請求項１に記載の男性用機能性トランクスパンツ。
【請求項５】
本体部は着用者の前面側に開閉部をさらに含むことを特徴とする請求項１に記載の男性用機能性トランクスパンツ。
【請求項６】
第１弾性片と本体部の開閉部との間にガードをさらに含むことを特徴とする請求項５に記載の男性用機能性トランクスパンツ。
【請求項７】
ガードが本体部に着脱可能に固定されることを特徴とする請求項６に記載の男性用機能性トランクスパンツ。
【請求項８】
第１弾性片の陰茎孔の下方に陰嚢収容部がさらに形成されることを特徴とする請求項１に記載の男性用機能性トランクスパンツ。
【発明の詳細な説明】
【技術分野】
【０００１】
本発明は、男性用機能性トランクスパンツに関するもので、特に、着用時に自然に陰茎と陰嚢との間と陰嚢と太ももとの間の密着を防止し、通気を円滑にして衛生的な着用状態を継続的に保持する男性用機能性トランクスパンツに関するものである。
【背景技術】
【０００２】
パンツは下着の一種で、脚の部分がほとんどなく、腰にピッタリフィットする下着を意味する。全体的に体にくっつき、伝統的に白無地で作られたが、現在は多様な素材やデザインがある。特に、男性用パンツは、人の体で最も重要であるといえる陰茎と陰嚢を保護するための肌着で、ブリーフや正方形（トランクス）パンツ及び三角の密着性と四角構造を有するドゥロジュパンツなどがある。
【０００３】
ブリーフは陰茎と陰嚢をタイトに締めて太もも肉と分離させることによって爽やか気持ちを感じさせるようにするが、下着が陰茎と陰嚢を締めるため息苦しさを感じる場合が多くて、最近には、陰茎と陰嚢をより快適にすることができあるボクサーパンツが主に消費されている傾向にある。ボクサーパンツは陰茎と陰嚢を締めないので楽であるが、夏のように汗をたくさんかく季節には陰茎と陰嚢、陰嚢と太ももが接触して、むしろ不快感を感じるようになるという問題がある。
【０００４】
男性の陰嚢は非常に重要な二つの機能をする。
【０００５】
健康な精子を作り、男性ホルモンの分泌を促進して、男性を男らしくする役割をする。
【０００６】
ただし、体温より陰嚢の温度が１度だけ上がっても、その機能が麻痺されるという。
【０００７】
陰嚢が活発に活動する温度は体温より２〜３度低い温度が最も良い。
【０００８】
男性の体に合うブリーフとドゥロジュパンツは陰嚢の温度が上昇するため男性に非常に良くない。
【０００９】
緩いトランクスパンツが男性に最も良いと医学研究者たちは放送または新聞媒体を介して報道したのも事実である。
【００１０】
しかし、男性に良いトランクスパンツも陰嚢と陰茎または陰嚢と太ももが接触して股座に汗、臭い、皮膚炎、湿疹、不快な着用感などのため、男性に好かれないという欠点がある。
【発明の概要】
【発明が解決しようとする課題】
【００１１】
本発明は、前記のような従来技術の問題点を解決するために創案されたものであり、パンツの着用時に自然に陰茎と陰嚢との間及び／または陰嚢と太ももとの間の密着を防止し、通気を円滑にして衛生的な着用状態を継続的に保持することができる構造の男性用機能性トランクスパンツを提供することを目的とする。
【課題を解決するための手段】
【００１２】
本発明による男性用機能性トランクスパンツは、着用可能なパンツ本体を形成する本体部と、前記本体部の内側に固定されて陰茎と陰嚢を支持する支持部とを含み、ここで、支持部は、パンツの着用時に着用者の前面側に陰茎が通過可能な陰茎孔とパンツの着用時に着用者の下部側に陰嚢を収容可能な陰嚢収容部とを含むことを特徴とする。
【００１３】
前記男性用機能性トランクスパンツは、着用可能なパンツ本体を形成する本体部と、前記本体部の内側に固定されて陰茎と陰嚢を支持する支持部とを含み、ここで、支持部はパンツの着用時に着用者の前面側に位置される第１弾性片と、着用者の背面側に位置される第２弾性片とを含み、第１弾性片の一側端部が本体部の内面に固定され、第１弾性片の他側端部が第２弾性片の一側端部と連結され、第２弾性片の他側端部が本体部の内面に固定され、ここで、第２弾性片が第１弾性片より伸縮性の高い布からなり、第１弾性片に陰茎が通過可能な陰茎孔が形成されることを特徴とする。
【００１４】
陰茎孔は第１弾性片を穿孔し、穿孔された部位の第１弾性片の端を縁かがりしたり、穿孔された部位の第１弾性片の端を部分的に折り畳んだ後縁かがりをして形成されることができる。
【００１５】
陰茎孔はパンツを着用した状態を基準として陰茎孔の下部が上部に比べてより厚い厚肉部で形成されることができる。
【００１６】
陰茎孔はパンツを着用した状態を基準として陰茎孔の下部に支持片がさらに固定されることができる。
【００１７】
本体部は着用者の前面側に開閉部をさらに含むことができる。
【００１８】
第１弾性片と本体部の開閉部との間にはガードがさらに含まれることができる。
【００１９】
ガードは、本体部に着脱可能に固定されることができる。
【００２０】
第１弾性片には、陰茎孔の下方に陰嚢収容部がさらに形成されることができる。
【発明の効果】
【００２１】
本発明によれば、ボクサーパンツ及びブリーフの利点を有し、特に着用時に自然に陰茎と陰嚢との間及び／または陰嚢と太ももとの間の密着を防止し、通気を円滑にして衛生的な着用状態を継続的に保持することを可能にして、特に陰嚢の周りが湿ることを防止し、陰嚢と陰茎が常に太ももなどや他の部位と接触された状態を避けるようにして、陰嚢の周囲の衛生状態を向上させることができる男性用機能性トランクスパンツを提供するという効果を奏する。
【図面の簡単な説明】
【００２２】
【図１】本発明の一つの具体例による男性用機能性トランクスパンツを模式的に示した斜視図である。
【図２】図１の男性用機能性トランクスパンツの背面側の一部を切開してパンツの内部を模式的に示した部分切開斜視図である。
【図３】図１の男性用機能性トランクスパンツの第１弾性片と第２弾性片の部分を拡大して示した斜視図で、第１弾性片の一つの実施例を模式的に示した図である。
【図４】図１の男性用機能性トランクスパンツの第１弾性片と第２弾性片の部分を拡大して示す斜視図で、第１弾性片の他の一つの実施例を模式的に示した図である。
【図５】図１の男性用機能性トランクスパンツの側断面図である。
【発明を実施するための形態】
【００２３】
本発明は最良の形態として、着用可能なパンツ本体を形成する本体部と、前記本体部の内側に固定されて陰茎と陰嚢を支持する支持部とを含み、前記支持部は、着用時に着用者の前面側に位置される第１弾性片と、着用者の背面側に位置される第２弾性片とを含み、第１弾性片の一側端部が本体部の前面側の内面上側に固定され、第１弾性片の他側端部が第２弾性片の一側端部と連結され、第２弾性片の他側端部が本体部の背面側の内面上側に固定され、前記第２弾性片が第１弾性片より伸縮性の高い布からなり、第１弾性片に陰茎が通過可能な陰茎孔と陰茎孔の下部と前記他側端部との間に着用時に着用者の下部側に陰嚢を収容することができるようにポケット形状の陰嚢収容部とを形成してなることを特徴とする男性用機能性トランクスパンツを提示する。
[実施形態]
【００２４】
以下、本発明の具体的な実施例を添付した図面を参照して詳細に説明する。
【００２５】
図１〜図５に示すように、本発明による男性用機能性トランクスパンツは、着用可能なパンツ本体を形成する本体部１１と、前記本体部１１の内側に固定されて陰茎と陰嚢を支持する支持部１２とを含み、ここで、支持部１２は、パンツの着用時に着用者の前面側に陰茎が通過可能な陰茎孔２２とパンツの着用時に着用者の下部側に陰嚢を収容可能な陰嚢収容部２３とを含むことを特徴とする。特に、本体部１１は、通常のボクサーパンツの形状を有することができ、ボクサーパンツ特有のゆったりとしたフィット感に加え、陰茎の上方固定と陰嚢の収容によって陰茎及び／または陰嚢が太ももなどの他の体の部位と密着されて湿ることを防止して陰部の周りの衛生状態を良好に保持することを特徴とする。
【００２６】
特に、本発明による男性用機能性トランクスパンツ１は、着用可能なパンツ本体を形成する本体部１１と、前記本体部１１の内側に固定されて陰茎と陰嚢を支持する支持部１２とを含み、ここで、支持部１２は、パンツの着用時に着用者の前面側に位置される第１弾性片２１と、着用者の背面側に位置される第２弾性片３１とを含み、第１弾性片２１の一側端部が本体部１１の内面に固定され、第１弾性片２１の他側端部が第２弾性片３１の一側端部と連結され、第２弾性片３１の他側端部が本体部１１の内面に固定され、ここで、第２弾性片３１が第１弾性片２１よりも伸縮性の高い布からなり、第１弾性片２１に陰茎が通過可能な陰茎孔２２が形成されることを特徴とする。前記のような構成は、特に支持部１２を構成する第１弾性片２１と第２弾性片３１との間の伸縮性の差によって、着用者がパンツやズボンを引き上げる動作をする場合、第１弾性片２１に比べて、第２弾性片３１がより伸長されることができ、それにより、第１弾性片２１によって支持されるか、第１弾性片２１に形成された陰茎孔２２に挿入された陰茎を上方に固定させることを容易にするという効果を提供することができ、このような動作による前記の効果は、陰茎の状態とは関係なく達成することができるという利点を有する。つまり、ズボンやパンツを引き上げる単純な動作によっても伸縮性の少ない第１弾性片２１が陰茎を支持し、伸縮性の強い第２弾性片３１が伸長されて、第１弾性片２１による陰茎の支持、特に上方固定を容易にすることができるという効果を奏する。
【００２７】
本体部１１は、通常のボクサーパンツと同じ及び／または形状及び材質で形成されることができ、太ももが挿入されるようにする下部の２つの孔と、腰の周りに固定される上部の一つの孔を含むように形成されることができ、上部の一つの孔の周りには、伸縮性を有するバンド１３が形成されて、腰に密着して固定されて流れることを防止するようにすることができる。また、本体部１１は、特に本体部１１の正面側には、排尿を容易にするように開閉可能な開閉部１４がさらに形成されることができ、この開閉部１４は、本体部１１の一部を切開、特に垂直方向に切開し、切開された部位が互いに重なる２重の布で構成されて排尿するために陰茎を取り出せることができる。
【００２８】
第１弾性片２１及び／または第２弾性片３１は、伸縮性に優れた織物で製造されることができ、このような伸縮性に優れた織物は、当該技術分野で通常の知識を有する者は、国内外の有数の製造業者によって商用的に供給されるものを購入して使用することができる程度に公知されたものと理解することができる。特に、第１弾性片２１及び／または第２弾性片３１は、メッシュ構造または粗い構造の織物で製織されて通気性に優れた織物に製造されることができる。
【００２９】
支持部１２は、図２に示すように、前記本体部１１の内側に固定されて陰茎と陰嚢を支持する。ここで、支持部１２は、第１弾性片２１と第２弾性片３１との組み合わせからなり、この時、第１弾性片２１と第２弾性片３１は、パンツの着用時に、着用者の前面側に位置される第１弾性片２１と、着用者の背面側に位置される第２弾性片３１とを含み、ここで、第１弾性片２１の一側端部が本体部１１の内面に固定され、第１弾性片２１の他側端部が第２弾性片３１の一側端部と連結され、第２弾性片３１の他側端部が本体部１１の内面に固定される。特に、前述したように、第２弾性片３１が第１弾性片２１よりも伸縮性の高い布からなることを特徴とする。
【００３０】
特に、第１弾性片２１には陰茎孔２２が形成され、それにより陰茎が通過して第１弾性片２１の外部、即ち支持部１２の外部に露出されるようにすることができ、このような構成によって陰茎が上方に固定されて、太もも及び／または腹部などに密着されないようにし、それにより、陰茎の周りの通気を良好にして陰茎の周りが乾燥した状態を保持するようにすることができる。これは陰茎の周りの衛生状態を改善するという効果を奏する。
【００３１】
図２に示すように、陰茎孔２２は第１弾性片２１を穿孔し、穿孔された部位の第１弾性片２１の端を縁かがりしたり、穿孔された部位の第１弾性片２１の端を部分的に折り畳んだ後縁かがりをして形成されることができる。縁かがりは生布のほつれ口の糸筋がほつれないようにするために用いる縫製方法を指す用語で、オーバーロック（ｏｖｅｒｌｏｃｋ）とも呼ばれる。「縁かがり」は織物、むしろ、マットなどの端がほつれないようにかがりして仕上げることを意味し、「ほつれ口」は織物を裁断した箇所からほつれる糸筋のことを意味する。何れも韓国固有の名前である。布地を縫い合わせる縫い目部分を処理する縫製方法であるシーミングの中の一種類である。縁かがりシーミングともいう。縫製時に中に巻き込んだ縫い目部分つまり縫い代をまともに処理しないと、布を切り取った部分のほつれ口の糸筋がほつれてしまいきれいに仕上げることができない。そこで、きれいに仕上げるためにはほつれ口の糸筋がほつれないように縫製しなければならないが、この時に用いる縫製方法が縁かがりである。その他、布地の端である縫い代の端を縁かがりしながら縫いでいく縫製で、ほつれ口の糸筋のほつれを防止するためのものである。通常１ｃｍの間隔で０．５〜１ｃｍ深さに１針または５〜６針ずつ縁かがりをする。糸筋がたくさんほつれる布地であるほど細かくする必要がある。
【００３２】
陰茎孔２２は、図３に示すように、パンツを着用した状態を基準として陰茎孔２２の下部が上部に比べてより厚い厚肉部２２ａで形成されることができる。厚肉部２２ａは、当該技術分野で公知の多様な方法によって形成されることができ、例えば、陰茎孔２２の周りを縁かがりするが、縁かがりの回数、即ち針目を陰茎孔２２の上部の薄肉部２２ｂより増やして下部側を厚くしたり、穿孔された部位の第１弾性片２１の端を部分的に折り畳んで、折畳部をより厚くした後、縁かがりをして形成することができる。
【００３３】
これに対し、陰茎孔２２は、図４に示すように、パンツを着用した状態を基準として陰茎孔２２の下部に支持片２２ｃがさらに固定されることができる。支持片２２ｃも陰茎孔２２に挿入されて固定される陰茎を上方に固定させるのに役立つことができる。支持片２２ｃを構成する材料には制限がないが、洗濯の過程で加えられる機械的外力に変形及び／または破損されずに耐えられる程度の機械的強度を有する材料であればいずれのものでも可能であり、洗濯可能な材料が好ましい。
【００３４】
第１弾性片２１と本体部１１の開閉部１４との間にはガード４１がさらに含まれることができる。ガード４１は第１弾性片２１と本体部１１との間に位置され、通常の布からなることができ、第１弾性片２１の一側端部の本体部１１の内面に固定されるとき、特に縫製によって固定されるとき、一緒に縫製されて固定されることができるが、本発明がこれに限定されるものに意図してはならなく、別途に縫製によるか他の固定手段によって固定することも可能であることは当業者には理解され得るものである。ガード４１は、好ましくは、本体部１１に着脱可能に固定されることができ、それによって、ガード４１のみ取り外して洗濯したり、ガード４１を本体部１１から分離した状態で、パンツを着用して、必要時に装着して使用することも可能にすることができる。ガード４１は、これに接触する陰茎に摩擦感を付与する機能をすることができ、また、陰茎に付いた異物、例えば、残尿などを吸収してパンツ自体が汚染されることを防止することができる。
【００３５】
第１弾性片２１には陰茎孔２２の下方に陰嚢収容部２３がさらに形成されることができる。陰嚢収容部２３は、特にパンツを着用した後直立時に陰嚢を収容して陰嚢が太ももに密着されることを防止し、それによって、陰嚢の周りの通気を良好にして、陰嚢の周りが乾燥した状態を保持するようにすることができる。これは陰嚢の周りの衛生状態を改善するという効果を奏する。陰嚢収容部２３は、パンツの縫製時に布の一部を部分的に折り畳んだ状態で縫製して陰嚢の収容時に下方に拡張されることがようにして、本体部１１を構成する布の一部で形成されることができ、その他に、別途の布を使用して陰嚢を収容可能な空間を有するように本体部１１に縫製によって固定させて形成させることができ、このような縫製方式は当業者には理解され得ることができるものである。
【００３６】
前述したような構成の特徴を有する本発明による男性用機能性トランクスパンツはボクサーパンツとブリーフの利点を有することができ、特に、着用時に自然に陰茎と陰嚢との間及び／または陰嚢と太ももとの間の密着を防止し、通気を円滑にして衛生的な着用状態を継続的に保持することができる。
【００３７】
以上、本発明は前述した具体例のみで詳細に説明されたが、本発明の技術的思想の範囲内で多様な変形及び修正が可能であることは当業者にとって明らかであり、このような変形及び修正が特許請求範囲内に属することは当然である。
【図１】
2019530814.tif 000003
【図２】
2019530814.tif 000004
【図３】
2019530814.tif 000005
【図４】
2019530814.tif 000006
【図５】
2019530814.tif 000007
【国際調査報告】
2019530814.tif 000008
2019530814.tif 000009
2019530814.tif 000010
2019530814.tif 000011